(57)【要約】【課題】弾球遊技機に関し、発射装置により遊技領域の左側から右側へ向かって移動するように強力に発射された遊技球の球速を減速する弾球遊技機を提供する。【解決手段】遊技球Ｐが遊技領域５ａの右側を移動する場合に遊技球Ｐの球速を減速する減速手段１２を設け、減速手段１２は、ガイドレール１１ａにおける最上部よりも右端側部分から所定間隔隔てた位置に連釘状に連続的に配設された複数の遊技釘１４ａと、ガイドレール１１ａの右端側部分の遊技領域５ａに臨む面に凹凸面を形成する補助部材２４とを備え、連釘状の複数の遊技釘２４ａとガイドレール１１ａの右端側部分との間に遊技球減速通路２３が形成され、遊技球減速通路２３は、遊技球Ｐが遊技球減速通路２３を通過中に複数の遊技釘２４ａと補助部材２４に接触可能に、その通路幅が遊技球Ｐの進行方向に向かって徐々に狭くなるように形成された。【選択図】図３
2010131441.tif 000002
【特許請求の範囲】
【請求項１】
複数の遊技釘が設けられた遊技盤と、遊技球を発射する発射手段と、発射手段により遊技領域に発射された遊技球を案内するガイドレールと、遊技者に有利な利益状態を付与する為の可変入賞口を有する入賞装置とを備えた弾球遊技機において、
前記入賞装置の方へ移動する遊技球を減速する為に、前記ガイドレールにおける最上部よりも右端側部分に対応する位置に設けられ、前記発射手段により遊技領域の左側から右側へ向かって移動するように発射された遊技球が前記ガイドレールに沿ってその右端側部分まで移動した場合に遊技球の球速を減速する減速手段を設け、
前記減速手段は、前記ガイドレールの右端側部分と該ガイドレールから所定間隔隔てた位置に連釘状に連続的に配設された複数の遊技釘と、前記ガイドレールの右端側部分の遊技領域に臨む面に凹凸面を形成する補助部材とを備え、
前記連釘状の複数の遊技釘と前記ガイドレールの右端側部分との間に遊技球減速通路が形成され、
前記遊技球減速通路は、遊技球が遊技球減速通路を通過中に前記複数の遊技釘と補助部材に接触可能に、その通路幅が遊技球の進行方向に向かって徐々に狭くなるように形成された、
ことを特徴とする弾球遊技機。
【請求項２】
複数の遊技釘が設けられた遊技盤と、遊技球を発射する発射手段と、発射手段により遊技領域に発射された遊技球を案内するガイドレールと、遊技者に有利な利益状態を付与する為の可変入賞口を有する入賞装置とを備えた弾球遊技機において、
前記入賞装置の方へ移動する遊技球を減速する為に、前記ガイドレールにおける最上部よりも右端側部分に対応する位置に設けられ、前記発射手段により遊技領域の左側から右側へ向かって移動するように発射された遊技球が前記ガイドレールに沿ってその右端側部分まで移動した場合に遊技球の球速を減速する減速手段を設け、
前記減速手段は、前記ガイドレールの右端側部分と該ガイドレールから所定間隔隔てた位置に配設された合成樹脂製の遊技球案内部材と、前記ガイドレールの右端側部分の遊技領域に臨む面に凹凸面を形成する補助部材とを備え、
前記遊技球案内部材と前記ガイドレールの右端側部分との間に遊技球減速通路が形成され、
前記遊技球減速通路は、遊技球が遊技球減速通路を通過中に前記遊技球案内部材と補助部材に接触可能に、その通路幅が遊技球の進行方向に向かって徐々に狭くなるように形成された、
ことを特徴とする弾球遊技機。
【発明の詳細な説明】
【技術分野】
【０００１】
本発明は、発射装置により発射された遊技球の球速を減速可能に構成した弾球遊技機に関するものである。
【背景技術】
【０００２】
従来、パチンコ機には、複数の遊技釘と、複数の入賞口と、遊技球を発射する発射装置と、発射装置により発射された遊技球を遊技領域へ案内するガイドレールとが設けられ、このガイドレールから遊技領域へ導入された遊技球が複数の遊技釘に当たって方向を変えながら複数の入賞口の何れかに入賞するか、最下端まで落下してアウト口から排出される。
【０００３】
ところで、発射装置により発射された遊技球の球速は、遊技者が発射装置を操作することにより変化する。発射装置から遊技球が強力に発射され、遊技釘に遊技球が繰返し衝突すると、その遊技釘に衝撃が繰返し作用し曲がったり折れたりすることがある。特に、遊技盤面の右側に大入賞口がある遊技機においては、遊技盤面の中央に設けられたセンターケースの上方を超えて、遊技球を強い勢いで遊技領域の右側に集中させる右打ちを行うため、このような問題が生ずる可能性は高い。
【０００４】
そのため、ガイドレールにおける遊技領域の上部を移動する遊技球が到達する位置に衝撃吸収用のゴム部材を設けることにより、遊技球がそのゴム部材に衝突して遊技球の勢いが緩衝されるため、遊技球の衝突による遊技釘に対する衝撃が緩和される。
特許文献１には、飾りレールに設けられた弾性体製の跳ね返り部と、この跳ね返り部と対向状に遊技盤面に配設された弾性体製の衝撃吸収部とが設けられたパチンコ機が開示されている。発射装置により遊技領域に発射された遊技球が跳ね返り部に衝突し緩衝され、さらに、衝撃吸収部に衝突することにより遊技球の勢いが減じられる。
【先行技術文献】
【特許文献】
【０００５】
【特許文献１】特開２００４−３３２４８号公報
【発明の概要】
【発明が解決しようとする課題】
【０００６】
特許文献１のパチンコ機においては、従来のパチンコ機と同様に、発射装置により遊技領域の左側から右側へ向けて移動するように連続的に強力に遊技球が発射された場合、遊技盤面においてガイドレールにおける最上部よりも右部に対応する位置に配設された遊技釘であって衝撃吸収部の近傍に配設された遊技釘に、遊技球が強い勢いで繰返し衝突すると、その遊技釘に衝撃が繰返し作用し曲がったり折れたりすることがある。
【０００７】
本発明の目的は、弾球遊技機に関し、発射装置により遊技領域の左側から右側へ向かって移動するように強力に発射された遊技球の球速を減速すること等である。
【課題を解決するための手段】
【０００８】
請求項１の弾球遊技機は、複数の遊技釘が設けられた遊技盤と、遊技球を発射する発射手段と、発射手段により遊技領域に発射された遊技球を案内するガイドレールと、遊技者に有利な利益状態を付与する為の可変入賞口を有する入賞装置とを備えた弾球遊技機において、入賞装置の方へ移動する遊技球を減速する為に、ガイドレールにおける最上部よりも右端側部分に対応する位置に設けられ、発射手段により遊技領域の左側から右側へ向かって移動するように発射された遊技球がガイドレールに沿ってその右端側部分まで移動した場合に、遊技球の球速を減速する減速手段を設け、減速手段は、ガイドレールの右端側部分と該ガイドレールから所定間隔隔てた位置に連釘状に連続的に配設された複数の遊技釘と、ガイドレールの右端側部分の遊技領域に臨む面に凹凸面を形成する補助部材とを備え、連釘状の複数の遊技釘とガイドレールの右端側部分との間に遊技球減速通路が形成され、遊技球減速通路は、遊技球が遊技球減速通路を通過中に複数の遊技釘と補助部材に接触可能に、その通路幅が遊技球の進行方向に向かって徐々に狭くなるように形成されたことを特徴としている。
【０００９】
請求項２の弾球遊技機は、複数の遊技釘が設けられた遊技盤と、遊技球を発射する発射手段と、発射手段により遊技領域に発射された遊技球を案内するガイドレールと、遊技者に有利な利益状態を付与する為の可変入賞口を有する入賞装置とを備えた弾球遊技機において、入賞装置の方へ移動する遊技球を減速する為に、ガイドレールにおける最上部よりも右端側部分に対応する位置に設けられ、発射手段により遊技領域の左側から右側へ向かって移動するように発射された遊技球が前記ガイドレールに沿ってその右端側部分まで移動した場合に、遊技球の球速を減速する減速手段を設け、減速手段は、ガイドレールの右端側部分と該ガイドレールから所定間隔隔てた位置に配設された合成樹脂製の遊技球案内部材と、ガイドレールの右端側部分の遊技領域に臨む面に凹凸面を形成する補助部材とを備え、遊技球案内部材とガイドレールの右端側部分との間に遊技球減速通路が形成され、遊技球減速通路は、遊技球が遊技球減速通路を通過中に遊技球案内部材と補助部材に接触可能に、その通路幅が遊技球の進行方向に向かって徐々に狭くなるように形成されたことを特徴としている。
【発明の効果】
【００１０】
請求項１の発明によれば、ガイドレールにおける最上部よりも右端側部分に対応する位置に減速手段を設け、減速手段は、連釘状の複数の遊技釘と凹凸面を形成する補助部材とを備え、連釘状の複数の遊技釘とガイドレールの右端側部分との間に遊技球減速通路が形成され、遊技球減速通路は、その通路幅が遊技球の進行方向に向かって徐々に狭くなるように形成されたので、遊技球を複数の遊技釘と補助部材に接触させることができ、その球速を減速させることができる。
【００１１】
請求項２の発明によれば、ガイドレールにおける最上部よりも右端側部分に対応する位置に減速手段を設け、減速手段は、合成樹脂製の遊技球案内部材と凹凸面を形成する補助部材とを備え、遊技球減速通路は、その通路幅が遊技球の進行方向に向かって徐々に狭くなるように形成されたので、遊技球を遊技球案内部材と補助部材に接触させることができ、その球速を減速させることができる。
【図面の簡単な説明】
【００１２】
【図１】パチンコ機の斜視図である。
【図２】パチンコ機の遊技盤の正面図である。
【図３】実施例１の減速機構の要部拡大図である。
【図４】実施例２の減速機構の要部拡大図である。
【図５】実施例２に係る変更形態の縦断面拡大図である。
【発明を実施するための形態】
【００１３】
以下、本発明を実施するための形態について実施例に基づいて説明する。
【実施例１】
【００１４】
以下、本発明の実施例１を図面に基づいて説明する。
図１に示すように、カード式弾球遊技機であるパチンコ機１は、矩形枠状の外枠３と、この外枠３に開閉自在に枢着された前枠４とを有し、カード式球貸し機２をサンドイッチ状に挟持する状態で、外枠３が島構造体（図示略）に着脱自在に装着されている。前枠４には、遊技盤５が裏側から着脱自在に装着され、遊技盤５の前側に対応させて、窓部６ａを有するガラス扉６と発射用の遊技球を貯留する上皿８の前面板７とが夫々開閉自在に枢着されている。前面板７の下部には、上皿８から溢流し又は抜き取った遊技球を貯留する下皿９と、遊技者が回動操作可能な発射ハンドル１０（発射手段）とが設けられている。
【００１５】
上皿８の右部には、カード式球貸し機２に対する球貸し操作用の操作パネル１３が設けられ、この操作パネル１３には、カード残額を３桁の数字で表示するカード残額表示部１３ａと、所定金額分の遊技球の球貸しを指示する球貸しスイッチ１３ｂと、遊技終了時にカードの返却を指令する返却スイッチ１３ｃとが設けられている。
【００１６】
図２に示すように、鉛直な盤面を形成する遊技盤５には、ガイドレール１１が略環状に設けられ、ガイドレール１１の内側に遊技領域５ａが形成される。このガイドレール１１は、遊技盤５の盤面に着脱可能であり、遊技領域５ａの上側を区画する外レール１１ａと、この外レール１１ａの先端から連続し、遊技領域５ａの右側を区画する有色透明の合成樹脂製の飾りレール１１ｂと、この飾りレール１１ｂの先端から連続し、遊技領域５ａの下側と左側を区画する内レール１１ｃとからなる。発射ハンドル１０の操作により発射された遊技球Ｐが外レール１１ａの内面と内レール１１ｂの外面に沿って案内されて遊技領域５ａの上部に投入される。
【００１７】
遊技領域５ａには、複数の遊技釘１４と、複数（４つ）の風車１５と、普通図柄表示部１８と、振分装置１６と、普通図柄始動口１９と、変動入賞装置１７と、大入賞口２０と、大入賞口２０を開閉する入賞口開閉部材２０ａと、複数（４つ）の普通入賞口２１ａ〜２１ｄと、入賞しなかった遊技球Ｐをアウト球として回収する球排出口２２と、発射ハンドル１０から強力に発射され遊技領域５ａの上部を移動する遊技球Ｐの球速を減速する減速機構１２が設けられている。
【００１８】
遊技領域５ａに発射された遊技球Ｐは、複数の風車５ａや複数の遊技釘１４に当たって
方向を換えながら落下していき、振分装置１６、複数の普通入賞口２０ａ〜２０ｄの何れかに入球するか、最下端まで落下して球排出口２２から排出される。複数の普通入賞口２０ａ〜２０ｄの何れかに遊技球Ｐが入球した場合には、予め定めた数の遊技球Ｐが上皿８又は下皿９に払い出される。
【００１９】
振分装置１６に遊技球Ｐが入球し、その振分装置１６にて振り分けられた遊技球Ｐが普通図柄始動口１９に入賞した場合には、普通図柄表示部１８において、複数（３つ）の普通図柄表示領域１８ａ〜１８ｃに複数の普通図柄が７セグメント表示装置により変動表示される。その表示装置の変動停止時の表示結果が特定図柄態様（「４４４」、「７７７」等の当り図柄）になった場合には、普通電動役物が作動して変動入賞装置１７の可変入賞口１７ａが開放される。このとき、遊技者は、可変入賞口１７ａへ遊技球Ｐを入球させるべく、遊技球Ｐを発射ハンドル１０から強力に発射させて遊技領域５ａの右側へ集中させる右打ちを行う。
【００２０】
変動入賞装置内１７において、可変入賞口１７ａに入賞した遊技球Ｐが、振り分け部材１７ｂにより、特定領域又は排出口の何れかへ振り分けられる。その遊技球Ｐが特定領域へ入賞した場合には、入賞口開閉部材２０ａにより大入賞口２０が開放され遊技者に有利な特別利益状態が発生する。
【００２１】
次に、本願特有の減速機構（減速手段）１２について説明する。
図２、図３に示すように、減速機構１２は、略環状のガイドレール１１における最上部よりも遊技球Ｐの移動方向下流側近傍に形成され、遊技領域５ａの上端付近に設けられた複数（１２本）の遊技釘１４ａと、飾りレール１１ｂにおける遊技球Ｐの移動方向上流部である飾りレール上流部１１ｄとで構成され、且つ遊技球Ｐの球速を減速可能な遊技球減速通路２３を備えている。
【００２２】
複数の遊技釘１４ａは、飾りレール上流部１１ｄから下方へ所定間隔隔てた位置にその上流部１１ｄとほぼ平行に連釘状に連続的に１２本配設されている。また、これら複数の遊技釘１４ａのうちの遊技球Ｐの移動方向上流端の遊技釘１４ａの中心部分に対する遊技球Ｐの衝撃を緩和する為に、その上流端の遊技釘１４ａから連釘状に連続的に遊技領域５ａの中心部へ向けて５本の遊技釘１４ｂが配設されている。
【００２３】
飾りレール上流部１１ｄの端部には、その端部から垂下する凸状の球止め部材２５が一体成形されている。この球止め部材２５には、遊技球Ｐが通過可能な大きさの開口部２５ａが形成され、その開口部２５ａに臨むように緩衝部材２５ｂが設けられている。この緩衝部材２５ｂは、遊技領域５ａの右側に向けて強力に発射された遊技球Ｐを受け止めて緩衝し、その遊技球Ｐを跳ね返して可変入賞口１７ａへ導くものであり、例えば、ゴム、軟質合成樹脂等の弾性体によって形成されている。
【００２４】
図３に示すように、遊技球減速通路２３は、緩衝部材２５ｂより遊技球Ｐの移動方向上流側において、複数の遊技釘１４と飾りレール上流部１１ｄの内面との間に形成されている。この遊技球減速通路２３において、飾りレール上流部１１ｄの遊技球減速通路２３に臨む面には、連続的に凹凸面を形成する軟質合成樹脂製の補助部材２４が設けられている。
【００２５】
遊技球減速通路２３の上下幅は、遊技球Ｐが遊技球減速通路２３を通過中に複数の遊技釘１４ａと補助部材２４に接触するように、遊技球Ｐの直径１１ｍｍに対して、例えば、上流端が１５ｍｍ、下流端が１２ｍｍであり、上流から下流に向けて徐々に狭くなるように形成されている。そのため、発射ハンドル１０から強力に発射され、強い勢いのある遊技球Ｐが遊技球減速通路２３を通過中に複数の遊技釘１４と補助部材２４に接触することでその球速が減速される。遊技球減速通路２３の通過中に遊技球Ｐの勢いがなくなった場合でも遊技球Ｐが自重により落下する。
【００２６】
次に、実施例１の減速機構１２の作用効果について説明する。
この実施例１のパチンコ機１においては、遊技者が、発射ハンドル１０を操作して、遊技機Ｐが連続的に強力に発射され、遊技領域５ａの右側に遊技球Ｐを集中させる右打ちが行われる。このとき、遊技球Ｐが外レール１１ａに沿って遊技領域５ａの上部へ導入され、緩衝部材２５ｂより遊技球Ｐの移動方向上流側において遊技球減速通路２３へ入球し、遊技球減速通路２３の通過中の遊技球Ｐが複数の遊技釘１４や補助部材２４に接触してその球速が減速される。遊技球減速通路２３を通過後、その遊技球Ｐが飾りレール１１ｂの緩衝部材２５ｂにより受け止められて緩衝され、遊技球Ｐが緩衝部材２５ｂから跳ね返って可変入賞口１７ａ方向へ移動する。
【００２７】
このように、減速機構１２は、緩衝部材２５ｂより遊技球Ｐの移動方向上流側において、飾りレール上流部１１ｄと、この上流部１１ｄから所定間隔隔てた位置にその上流部１１ｄと略平行に連釘状に連続的に配設された複数の遊技釘１４ａとで構成され、且つそれらの間に遊技球減速通路２３を備えたので、遊技球Ｐが緩衝部材２５ｂに衝突するまでに遊技球Ｐの球速を確実に減速させることができる。これにより、遊技領域５ａの右側に向けて遊技球Ｐが強力に発射された場合であっても、緩衝部材２５ｂに衝突し跳ね返った遊技球Ｐの移動方向のばらつきを抑えることができ、遊技球Ｐを変動入賞装置１７の第３始動口１７ａの方向へ確実に移動させることができる。
【００２８】
また、遊技球減通路２３の上下幅は、上流から下流へ向けて徐々に狭くなるように形成されたので、遊技球減速通路２３を通過中の遊技球Ｐを複数の遊技釘１４ａと凹凸面を形成する補助部材２４に確実に接触させることができ、その球速を大幅に減速させることができる。また、緩衝部材２５ｂに衝突した遊技球Ｐが遊技球減速通路側へ戻りにくくなる。
【００２９】
これら複数の遊技釘１４ａのうちの遊技球Ｐの移動方向上流端の遊技釘１４ａの遊技球Ｐによる衝撃を緩和する為に、その上流端の遊技釘１４ａから連釘状に連続的に遊技領域５ａの中心部へ向けて５本の遊技釘１４ｂが配設されているので、上流端の遊技釘１４ａに遊技球Ｐが繰返し衝突しても、遊技釘１４ａに対するその衝撃を緩和することができる。これにより、上流端の遊技釘１４ａが曲がったり折れたりするのを防止することができる。
【実施例２】
【００３０】
次に、実施例２に係る減速機構１２Ａについて説明する。なお、実施例１と同様の部材については同一の符号を付してその詳細な説明を省略する。
図４に示すように、減速機構１２Ａは、飾りレール上流部１１ｄと、この上流部１１ｄと略平行に配設された軟質合成樹脂製の遊技球案内部材２６とで構成され、且つ遊技球Ｐの球速を減速可能な遊技球減速通路２３Ａを備えている。
【００３１】
遊技球案内部材２６は、正面視にて矩形状に形成された軟質合成樹脂成形品であり、飾りレール上流部１１ｄから下方へ所定間隔隔てた位置にその上流部１１ｄとほぼ平行に配設されている。この遊技球案内部材２６の両端近傍位置には、遊技球案内部材２６における遊技球Ｐの移動方向上流端と下流端への遊技球Ｐの衝突を防止するための１対の遊技釘１４ｃが設けられている。
【００３２】
遊技球減速通路２３Ａは、緩衝部材２５ｂより遊技球Ｐの移動方向上流側において、飾りレール上流部１１ｄの内面と遊技球案内部材２６との間に形成されている。この遊技球減速通路２３Ａにおいて、飾りレール上流部１１ｄの遊技球減速通路２３Ａに臨む面には、凹凸面を形成する軟質合成樹脂製の補助部材２４が形成されている。遊技球減速通路２３Ａの上下幅は、上流から下流へ向けて徐々に狭くなるように形成され、実施例１の遊技球減速通路２３と同様の幅を有する。                        
【００３３】
次に、実施例２の減速機構１２Ａの作用効果について説明する
発射ハンドル１０から強力に発射された遊技球Ｐが外レール１１ａに沿って遊技領域５ａの上部へ導入され、緩衝部材２５ｂより遊技球Ｐの移動方向上流側において遊技球減速通路２３へ入球し、遊技球減速通路２３を通過中の遊技球Ｐが遊技球案内部材２６と補助部材２４に接触してその球速が減速される。遊技球減速通路２３を通過後、その遊技球Ｐが飾りレール１１ｂの緩衝部材２５ｂにより受け止められて緩衝され、遊技球Ｐが緩衝部材２５ｂから跳ね返って可変入賞口１７ａ方向へ移動する。
【００３４】
このように、減速機構１２Ａは、緩衝部材２５ｂより遊技球Ｐの移動方向上流側において、飾りレール上流部１１ｄと、この上流部１１ｄから下方へ所定間隔隔てた位置にその上流部１１ｄと略平行に配設された遊技球案内部材２６とで構成され、且つそれらの間に遊技球減速通路２３を備えたので、遊技球Ｐが緩衝部材２５ｂに衝突するまでに遊技球Ｐの球速を確実に減速させることができる。そのため、緩衝部材２５ｂに衝突して跳ね返った遊技球Ｐの移動方向のばらつきを抑えることができ、遊技球Ｐを変動入賞装置１７の第３始動口１７ａの方向へ確実に移動させることができる。
【００３５】
また、遊技球案内部材２６の両端近傍位置に、遊技球案内部材２６における遊技球Ｐの移動方向上流端と下流端への遊技球Ｐの衝突を防止するための１対の遊技釘１４ｃが設けられたので、遊技球案内部材２６の損傷を防止することができる。
【００３６】
ここで、実施例１、２を部分的に変更した変更例について説明する。
１〕図５に示すように、遊技球減速通路２３Ｂにおいて、飾りレール１１ｂと遊技球案内部材２６Ａとを一体成形し、遊技盤５の盤面にビス２８で固定してもよい。
【００３７】
２〕実施例２の遊技球案内部材２６の両端近傍位置において、遊技球Ｐの移動方向の下流端側に逆流防止弁を設けてもよい。緩衝部材２５ｂに衝突した遊技球Ｐが遊技球減速通路側へ戻りにくくなる。
３〕実施例１、２の遊技球減速通路の上下幅は、実施例で記載した幅に限らず、遊技球Ｐが遊技球減速通路２３、２３Ａにおいて複数の遊技釘１４ａ又は遊技球案内部材２６と、補助部材２４とに接触する幅であればよい。
【００３８】
４〕その他、当業者であれば、本発明の趣旨を逸脱することなく、前記実施例１、２に種々の変更を付加した形態で実施可能で、本発明はそのような変更形態を包含するものである。
【符号の説明】
【００３９】
Ｐ    遊技球
１    パチンコ機
１０  発射手段
１１  ガイドレール
１１ｂ  飾りレール
１２、１２Ａ    減速機構
１４、１４ａ、１４ｂ  遊技釘
２３、２３Ａ、２３Ｂ  遊技球減速通路
２４  補助部材
２５ｂ  緩衝部材
２６、２６Ａ  遊技球案内部材
【図１】
2010131441.tif 000003
【図２】
2010131441.tif 000004
【図３】
2010131441.tif 000005
【図４】
2010131441.tif 000006
【図５】
2010131441.tif 000007